(57)【特許請求の範囲】
【請求項１】
内側面によって区画される収容室が形成された装置本体と、
前記収容室に収容された収容位置と前記収容室から引き出された引出位置との間でスライド移動可能であり、そのスライド方向に沿って並列配置される複数の感光体を保持する感光体ユニットと、
前記内側面に対して前記スライド方向と直交する直交方向において対向しつつ前記スライド方向に沿って延びるように前記感光体ユニットに形成された第１外側面に設けられる第１電極と、
前記スライド方向および前記直交方向と直交する上下方向において前記第1外側面の上方で前記第１外側面と平行に延びるとともに、前記直交方向において前記第１外側面よりも前記内側面側に突出するように前記感光体ユニットに形成された第２外側面に設けられる第２電極と、
前記内側面に形成されて前記スライド方向に沿って延びる第１内側面に設けられ、前記感光体ユニットが前記収容位置と前記引出位置との間にあるときには前記スライド方向から見て前記第１電極と前記直交方向において間隔を隔てて対向し、前記感光体ユニットが前記収容位置にあるときには前記直交方向に沿って前記第２電極に当接する第３電極と、
前記内側面に形成されて前記上下方向において前記第１内側面の下方で前記第１内側面と平行に延びるとともに、前記直交方向において前記第１内側面よりも前記感光体ユニット側に突出する第２内側面に設けられ、前記感光体ユニットが前記収容位置と前記引出位置との間にあるときには、前記感光体ユニットにおいて前記上下方向における前記第１外側面の下方にある第３外側面と前記直交方向において対向し、前記感光体ユニットが前記収容位置にあるときには前記直交方向に沿って前記第１電極に当接する第４電極と
を備えていることを特徴とする、画像形成装置。
【請求項２】
前記第３外側面は、前記感光体ユニットが前記収容位置と前記引出位置との間で移動するときに、前記第４電極に摺動自在に接触され、摺動自在に接触される前記第４電極の前記直交方向位置を一定に維持するように平坦に形成されていることを特徴とする、請求項１に記載の画像形成装置。
【発明の詳細な説明】
【技術分野】
【０００１】
本発明は、カラーレーザプリンタなどの画像形成装置、および、画像形成装置に装備される感光体ユニットに関する。
【背景技術】
【０００２】
たとえば、感光体、感光体を帯電させる帯電器、感光体に現像剤を供給する現像ローラ、および、感光体の異物を捕獲するクリーニングブラシ等から構成された組を現像剤の各色に応じて複数備えた感光体ユニットが着脱自在に装着される、いわゆるカラー画像形成装置が提案されている（たとえば、特許文献１参照。）。
特許文献１に記載の画像形成装置では、感光体ユニットとしてのドラムユニットの同一側面に、帯電器の放電ワイヤにバイアスを印加するワイヤ電極、帯電器のグリッドにバイアスを印加するグリッド電極、現像ローラにバイアスを印加する現像ローラ電極、および、クリーニングブラシにバイアスを印加するクリーニング電極の組が、各色に応じて複数設けられている。これらの電極は、画像形成装置本体にドラムユニットが装着された状態において、装置本体側で個別に設けられた接点と接触することによって、装置本体側から給電される。
【０００３】
そして、これらの電極において、ワイヤ電極およびクリーニング電極は、装置本体に対する感光体ユニットの着脱方向に沿って同一直線上に配置され、グリッド電極および現像ローラ電極は、ワイヤ電極およびクリーニング電極の列と間隔を隔てて平行な列をなすように、感光体ユニットの着脱方向に沿って同一直線上に配置されている。
【特許文献１】特開２００７−２６４４６９号公報
【発明の開示】
【発明が解決しようとする課題】
【０００４】
特許文献１に記載の感光体ユニットにおいて、一般的に、各電極と装置本体側で対応する接点とを確実に接触させ、さらに電極間での漏電を防ぐために、隣り合う電極の間隔を広げる必要がある。特に、ワイヤ電極およびクリーニング電極の列と、グリッド電極および現像ローラ電極との列との間隔を広げる必要があるが、これにより、設計の自由度が低下するおそれがある。
【０００５】
本発明の目的は、平行に延びる列をなすように複数の電極が配置される場合において設計の自由度の向上を図ることができる感光体ユニット、および、その感光体ユニットが装備される画像形成装置を提供することにある。
【課題を解決するための手段】
【０００６】
上記目的を達成するため、請求項１に記載の発明は、画像形成装置であって、内側面によって区画される収容室が形成された装置本体と、前記収容室に収容された収容位置と前記収容室から引き出された引出位置との間でスライド移動可能であり、そのスライド方向に沿って並列配置される複数の感光体を保持する感光体ユニットと、前記内側面に対して前記スライド方向と直交する直交方向において対向しつつ前記スライド方向に沿って延びるように前記感光体ユニットに形成された第１外側面に設けられる第１電極と、前記スライド方向および前記直交方向と直交する上下方向において前記第1外側面の上方で前記第１外側面と平行に延びるとともに、前記直交方向において前記第１外側面よりも前記内側面側に突出するように前記感光体ユニットに形成された第２外側面に設けられる第２電極と、前記内側面に形成されて前記スライド方向に沿って延びる第１内側面に設けられ、前記感光体ユニットが前記収容位置と前記引出位置との間にあるときには前記スライド方向から見て前記第１電極と前記直交方向において間隔を隔てて対向し、前記感光体ユニットが前記収容位置にあるときには前記直交方向に沿って前記第２電極に当接する第３電極と、前記内側面に形成されて前記上下方向において前記第１内側面の下方で前記第１内側面と平行に延びるとともに、前記直交方向において前記第１内側面よりも前記感光体ユニット側に突出する第２内側面に設けられ、前記感光体ユニットが前記収容位置と前記引出位置との間にあるときには、前記感光体ユニットにおいて前記上下方向における前記第１外側面の下方にある第３外側面と前記直交方向において対向し、前記感光体ユニットが前記収容位置にあるときには前記直交方向に沿って前記第１電極に当接する第４電極とを備えていることを特徴としている。
【０００７】
また、請求項２に記載の発明は、請求項１に記載の発明において、前記第３外側面は、前記感光体ユニットが前記収容位置と前記引出位置との間で移動するときに、前記第４電極に摺動自在に接触され、摺動自在に接触される前記第４電極の前記直交方向位置を一定に維持するように平坦に形成されていることを特徴としている。
【発明の効果】
【０００８】
請求項１に記載の発明によれば、この画像形成装置の装置本体の収容室に対して収容位置と引出位置との間でスライド移動可能な感光体ユニットにおいて、第１外側面に第１電極が設けられ、第２外側面に第２電極が設けられている。
ここで、第１外側面および第２外側面は、収容室を区画する内側面に対して、感光体ユニットのスライド方向と直交する直交方向において対向しつつ、スライド方向に沿って互いに平行に延びているものの、第２外側面が第１外側面よりも内側面側に突出している。
【０００９】
一方、この内側面には、ともにスライド方向に沿って延びる第１内側面、および、第１内側面よりも感光体ユニット側に突出する第２内側面が形成されており、第１内側面に第３電極が設けられ、第２内側面に第４電極が設けられている。
このような画像形成装置では、感光体ユニットが収容位置にあるときには、第３電極は第２電極に当接して給電でき、第４電極は第１電極に当接して給電できる。一方で、感光体ユニットが収容位置と引出位置との間にあるときには、第３電極が、スライド方向から見て第１電極と直交方向において間隔を隔てて対向し、第４電極が、感光体ユニットにおいて第１外側面の下方にある第３外側面と直交方向において対向するので、第１電極および第２電極と第３電極と第４電極との不必要な接触を防止することができる。
【００１０】
そして、感光体ユニットにおいて、このように第２外側面が第１外側面よりも内側面側に突出しているので、第１外側面に設けられた第１電極と、第２外側面に設けられた第２電極とを、直交方向において離して配置することができる。これにより、第１外側面において複数の第１電極をスライド方向に沿って列をなすように配置し、かつ、第２外側面において複数の第２電極をスライド方向に沿って列をなすように配置した場合には、第１電極の列と第２電極の列との間で絶縁させつつ、これらの列を、直交方向から見て互いの間隔が狭まるように配置することができる。つまり、この感光体ユニットでは、平行に延びる列をなすように複数の電極が配置される場合において、設計の自由度の向上を図ることができる。
【００１１】
請求項２に記載の発明によれば、感光体ユニットが収容位置と引出位置との間で移動するときに、平坦に形成された第３外側面によって、第３外側面に摺動自在に接触する第４電極の直交方向位置が一定に維持される。そのため、感光体ユニットが収容位置と引出位置との間で移動するときに、第４電極が直交方向へ不意に移動して感光体ユニットと干渉することによって感光体ユニットの移動が阻害されることを防止できる。
【発明を実施するための最良の形態】
【００１４】
＜プリンタの全体構成＞
図１は、本発明の画像形成装置の一例としてのプリンタの一実施形態を示す右側断面図である。なお、方向について言及する場合には、図示した方向矢印を参照する（他の図についても同様）。ここで、左右方向と幅方向とは同じである。
プリンタ１は、カラープリンタである。図１に示すように、プリンタ１において、画像形成装置本体の一例としての本体ケーシング２内には、感光体の一例として中心軸が幅方向に延びる感光ドラム３が前後方向に沿って４つ並列配置されている。以下では、４つの感光ドラム３を、各感光ドラム３で形成されるトナー像（後述する）の色（ブラック、シアン、マゼンタまたはイエロー）に応じて、感光ドラム３Ｋ（ブラック）、感光ドラム３Ｃ（シアン）、感光ドラム３Ｍ（マゼンタ）、感光ドラム３Ｙ（イエロー）と区別する。各感光ドラム３には、例えばスコロトロン型の帯電器４、現像ローラ５およびクリーニングブラシ６が対向配置されている。
【００１５】
そして、これらの感光ドラム３の上方には、スキャナユニット７が配置されており、各感光ドラム３は、その表面が帯電器４によって一様に帯電された後、スキャナユニット７から出射された画像データに基づくレーザビーム（図示破線参照）によって露光される。これにより、各感光ドラム３の表面には、画像データに基づく静電潜像が形成される。各静電潜像は、各感光ドラム３に対応する現像ローラ５に担持されたトナー（現像剤）によって可視像化され、感光ドラム３の表面上にトナー像（現像剤像）が形成される。このとき、現像ローラ５には、後述する現像バイアスが印加されている。
【００１６】
用紙Ｐは、本体ケーシング２内において下方に配置された給紙カセット８に収容されている。給紙カセット８に収容された用紙Ｐは、給紙カセット８の前端部近傍に設けられた各種ローラにより、手前から後側に方向を変えて搬送ベルト９に搬送される。搬送ベルト９は、感光ドラム３Ｋ、３Ｃ、３Ｍおよび３Ｙと、これら４つの感光ドラム３に応じて４つ設けられ、対応する感光ドラム３に下側から対向配置される転写ローラ１０との間に配置されている。各感光ドラム３の表面上のトナー像は、転写ローラ１０に印加された転写バイアスによって、搬送ベルト９に搬送された用紙Ｐ上に転写され、順次重ね合わされる。
【００１７】
４色のトナー像が転写された用紙Ｐは、定着部１１に搬送される。用紙Ｐ上に転写されたトナー像は、定着部１１において熱定着される。その後、この用紙Ｐは、各種ローラによって、後側から前側に方向を変え、本体ケーシング２の上側にある排出トレイ１２に排出される。
なお、このような画像形成時には、搬送ベルト９（用紙Ｐ）へのトナー像の転写後に感光ドラム３上に存在する転写残トナーや紙粉などの異物が、クリーニングブラシ６に捕獲される。
＜ドラムユニット＞
図２は、ドラムユニットが引出位置にある状態におけるプリンタの右側面図である。図３は、図２の状態におけるプリンタの要部を上側から見た斜視図である。図４は、図２の状態におけるプリンタの要部右側面図である。図５は、図２の状態におけるプリンタの正面図である。図６は、図２の状態におけるプリンタの要部を下側から見た斜視図である。
【００１８】
プリンタ１は、上述した感光ドラム３、帯電器４、現像ローラ５およびクリーニングブラシ６を一体的に保持した状態で本体ケーシング２に対して着脱される感光体ユニットの一例としてのドラムユニット１３を備えている。
ドラムユニット１３は、本体ケーシング２に対して、前側から前後方向に沿ってスライドすることによって着脱され、装着時には、本体ケーシング２内に形成された収容室５０（後述する）に収容される。収容室５０に収容されたときのドラムユニット１３の位置を、収容位置という（後述する図１１Ａないし図１４参照）。一方、図２ないし図６に示すドラムユニット１３の位置を、収容室５０から引き出された引出位置という。
【００１９】
なお、以下では、前後方向において、前側は、本体ケーシング２に対するドラムユニット１３の装着方向における上流側とされ、後側は、本体ケーシング２に対するドラムユニット１３の装着方向における下流側とされる。また、本体ケーシング２に対して着脱されるときのドラムユニット１３のスライド方向が前後方向であるのに対し、スライド方向と直交する直交方向は、幅方向とされる。
【００２０】
図１に示すように、ドラムユニット１３は、上面および下面が開放されたボックス形状のユニットケーシング１４を備えており（図３および図６参照）、ユニットケーシング１４内において、サブユニット１５を、４つの感光ドラム３に対応して４つ備えている。以下では、４つのサブユニット１５を、感光ドラム３の場合と同様に、トナーの色に応じて、サブユニット１５Ｋ、サブユニット１５Ｃ、サブユニット１５Ｍ、サブユニット１５Ｙと区別する。これらのサブユニット１５は、上述した４つの感光ドラム３と同様に、本体ケーシング２内において、前後方向に沿って、並列配置されている。詳しくは、これらのサブユニット１５は、後側からサブユニット１５Ｋ、サブユニット１５Ｃ、サブユニット１５Ｍ、サブユニット１５Ｙの順番で配置されている。
（１）ユニットケーシング
図６に示すように、ユニットケーシング１４は、左側壁１６、右側壁１７、前側壁１８および後側壁１９を一体的に備えている。
【００２１】
左側壁１６および右側壁１７は、互いに相似しており、前後方向に長手で幅方向に薄い板形状であって、幅方向において互いに間隔を隔てて対向配置されている（図３も参照）。詳しくは、左側壁１６および右側壁１７において、上端縁および下端縁は、前後方向に沿って延びており、前端縁のほとんどは、斜め前側上方へ延びており、後端縁は、前側へ膨出する円弧状に湾曲している（図４参照）。左側壁１６および右側壁１７のそれぞれの後端縁の下端部近傍には、前側へ窪むように切り欠かれた切欠き３９が形成されている（図４参照）。
【００２２】
図３に示すように、左側壁１６および右側壁１７のそれぞれには、上端縁から連続して幅方向外側へ延びる鍔部２０が一体的に設けられている。鍔部２０は、前後方向に沿って平坦に延び、上下方向に薄い板状に形成されている。
左側壁１６および右側壁１７のそれぞれの後端部において、対応する鍔部２０の後端部近傍には、ころ５９が回転自在に設けられている（後述する図１３参照）。
【００２３】
左側壁１６および右側壁１７のそれぞれにおいて、下端部の前端および後端には、下向きに突出する凸部２１が一体的に設けられている。本体ケーシング２からドラムユニット１３が離脱されて床面に載置される場合、凸部２１が床面に当接する。
このような右側壁１７の右側面において、鍔部２０より下方の領域は、上から順に、第２外側面の一例としての上右側面２２と、第１外側面の一例としての中右側面２３と、第３外側面の一例としての下右側面２４とに区別される。ここで、下右側面２４は、中右側面２３に対して上右側面２２の反対側にあることがわかる。
【００２４】
上右側面２２、中右側面２３および下右側面２４は、前後方向に長手かつ、前後方向および上下方向に沿っており、図５に示すように、前後方向および上下方向のどちらから見ても平坦である（つまり幅方向において凹凸していない）。上下方向寸法について、上右側面２２は、下右側面２４よりやや大きく、中右側面２３は最も小さい（図２参照）。
そして、上右側面２２より左側に中右側面２３が配置され、中右側面２３より左側に下右側面２４が配置されている。換言すれば、上右側面２２は、幅方向において、中右側面２３よりも外側（右側）に突出し、中右側面２３は、下右側面２４よりも右側に突出している。そのため、右側壁１７の右側面は、下側へ向って左側へ階段状に凹んでいる。
【００２５】
上右側面２２の下端縁と中右側面２３の上端縁とは、中右側面２３の上端縁から連続して右側へ僅かに延びた後に斜め右側上方ヘ延びて上右側面２２の下端縁に接続される第１連結面２５によって連結されている。中右側面２３の下端縁と下右側面２４の上端縁とは、下右側面２４の上端縁から連続して右側へ僅かに延びた後に斜め右側上方ヘ延びて中右側面２３の下端縁に接続される第２連結面２６によって連結されている。
【００２６】
図３に示すように、下右側面２４には、右側へ突出するリブ２７が一体的に設けられている。リブ２７は、前後方向に沿って延びる１本の第１リブ２８と、第１リブ２８の上端縁から連続して斜め前側上方ヘ延びる８本の第２リブ２９とを含んでいる。リブ２７の右側面のほとんどは、下右側面２４と同様に、平坦に形成されている。ただし、第１リブ２８の右側面の後端部は、斜め左側後方へ傾斜して下右側面２４に連続しており、傾斜面３０とされる。換言すれば、傾斜面３０は、本体ケーシング２に対するドラムユニット１３の装着方向（図示太線矢印参照）において、下流側（後側）から上流側（前側）へ向って右側へ膨出している。第１リブ２８の右側面において傾斜面３０を除いた部分と第２リブ２９の右側面とは面一になっている。
【００２７】
８本の第２リブ２９は、前後方向において間隔を隔てて配置されている。ここでは、８本の第２リブ２９を、後から順に、第２リブ２９Ａ、第２リブ２９Ｂ、第２リブ２９Ｃ、第２リブ２９Ｄ、第２リブ２９Ｅ、第２リブ２９Ｆ、第２リブ２９Ｇ、第２リブ２９Ｈと区別する。
第２リブ２９Ａは、第１リブ２８における傾斜面３０の近傍から延びており、第２リブ２９Ｈは、第１リブ２８の前端部から延びている。そして、第２リブ２９Ｂは、第２リブ２９Ａよりも第２リブ２９Ｃに近く、第２リブ２９Ｃは、第２リブ２９Ｄよりも第２リブ２９Ｂに近い。第２リブ２９Ｄは、第２リブ２９Ｃよりも第２リブ２９Ｅに近く、第２リブ２９Ｅは、第２リブ２９Ｆよりも第２リブ２９Ｄに近い。第２リブ２９Ｆは、第２リブ２９Ｅよりも第２リブ２９Ｇに近く、第２リブ２９Ｇは、第２リブ２９Ｈよりも第２リブ２９Ｆに近い。
【００２８】
詳しくは、第２リブ２９Ｂと第２リブ２９Ｃとの間隔、第２リブ２９Ｄと第２リブ２９Ｅとの間隔、および、第２リブ２９Ｆと第２リブ２９Ｇとの間隔が等しい。そして、第２リブ２９Ａと第２リブ２９Ｂとの間隔、第２リブ２９Ｃと第２リブ２９Ｄとの間隔、第２リブ２９Ｅと第２リブ２９Ｆとの間隔、および、第２リブ２９Ｇと第２リブ２９Ｈとの間隔が等しく、これらの間隔は、第２リブ２９Ｂと第２リブ２９Ｃとの間隔より広い。
【００２９】
図５および図６に示すように、第１リブ２８の右側面（傾斜面３０を除く）の上端と各第２リブ２９の右側面の下端とは連続しており、さらに、各第２リブ２９の右側面の上端は、上述した第２連結面２６（詳しくは斜め右側上方ヘ延びている部分）に対して下から連続している。
このような右側壁１７の右側面には、図３に示すように、上述した４つのサブユニット１５Ｋ、Ｃ、Ｍ、Ｙに対応して、４つの電極群３１が配置されている。これら４つの電極群３１は、サブユニット１５Ｋ、Ｃ、Ｍ、Ｙに対応して、後から順に、電極群３１Ｋ、電極群３１Ｃ、電極群３１Ｍ、電極群３１Ｙと区別される。
【００３０】
各電極群３１は、ワイヤ電極３２、グリッド電極３３、クリーニング電極３４および現像ローラ電極３５という４つの電極から構成されている。ここで、グリッド電極３３および現像ローラ電極３５は、第１電極の一例として機能し、ワイヤ電極３２およびクリーニング電極３４は、第２電極の一例として機能する。
図４に示すように、各電極群３１において、ワイヤ電極３２およびクリーニング電極３４は、上右側面２２において、その下端縁に沿って、前後方向へ直線状に並ぶように配置されている。詳しくは、ワイヤ電極３２がクリーニング電極３４に対して前側に間隔を隔てて配置されている。ワイヤ電極３２およびクリーニング電極３４の各右側面は、上右側面２２とほぼ面一、または、上右側面２２から僅かに右側に突出している（図５参照）。
【００３１】
一方、グリッド電極３３および現像ローラ電極３５は、中右側面２３において、その下端縁に沿って、前後方向へ直線状に並ぶように配置されている。詳しくは、現像ローラ電極３５がグリッド電極３３に対して前側に間隔を隔てて配置されている。グリッド電極３３および現像ローラ電極３５の各右側面は、中右側面２３とほぼ面一、または、中右側面２３から僅かに右側に突出している（図５参照）。
【００３２】
ここで、グリッド電極３３および現像ローラ電極３５は、対応する第２リブ２９の上端部に隣接している。つまり、電極群３１Ｋでは、グリッド電極３３が第２リブ２９Ａの上端部に隣接し、現像ローラ電極３５が第２リブ２９Ｂの上端部に隣接している。同様に、電極群３１Ｃでは、グリッド電極３３が第２リブ２９Ｃの上端部に隣接し、現像ローラ電極３５が第２リブ２９Ｄの上端部に隣接している。電極群３１Ｍでは、グリッド電極３３が第２リブ２９Ｅの上端部に隣接し、現像ローラ電極３５が第２リブ２９Ｆの上端部に隣接している。電極群３１Ｙでは、グリッド電極３３が第２リブ２９Ｇの上端部に隣接し、現像ローラ電極３５が第２リブ２９Ｈの上端部に隣接している。
【００３３】
また、各電極群３１における各電極の前後方向における位置に関し、グリッド電極３３は、ワイヤ電極３２とクリーニング電極３４との間に位置し、現像ローラ電極３５は、ワイヤ電極３２より前側に位置している。
そして、４つの電極群３１をまとめて見ると、すべてのワイヤ電極３２およびクリーニング電極３４が、上右側面２２において、前後方向に沿って延びる同一直線上に配置されて列Ｘをなし、この列Ｘにおいて、交互に配置されている。その一方で、すべてのグリッド電極３３および現像ローラ電極３５が、中右側面２３において、前後方向に沿って延びる同一直線上に配置されて列Ｙをなし、この列Ｙにおいて、交互に配置されている。
【００３４】
詳しくは、すべてのワイヤ電極３２およびクリーニング電極３４と、すべてのグリッド電極３３および現像ローラ電極３５とは、ワイヤ電極３２およびクリーニング電極３４の列Ｘが上方、グリッド電極３３および現像ローラ電極３５の列Ｙが下方となるように、上下方向に間隔を隔てて並行に配置されている。
そして、図３および図６に示すように、前側壁１８は、左側壁１６および右側壁１７の各前端縁の間に架設され、後側壁１９は、左側壁１６および右側壁１７の各後端縁の間に架設されている。
【００３５】
図３に示すように、前側壁１８の幅方向中央には、第１ハンドル３６が設けられており、後側壁１９の幅方向中央には、第２ハンドル３７が設けられている。
第１ハンドル３６は、２つの遊端部を有する略逆Ｕ字形状であり、これらの遊端部が、前側壁１８に支持されている。詳しくは、前側壁１８には、幅方向に延びる支持軸３８が挿通されており、支持軸３８は、第１ハンドル３６の２つの遊端部にも挿通されている。そのため、第１ハンドル３６は、支持軸３８を中心として、前側壁１８に沿って起立する起立位置（図示せず）と、前側壁１８から前側へ傾倒した傾倒位置（図３参照）との間で揺動自在である。支持軸３８の幅方向両端部は、ユニットケーシング１４から幅方向外側へ突出している。
【００３６】
第２ハンドル３７は、２つの遊端部を有する略逆Ｕ字形状であり、これらの遊端部が、後側壁１９に接続されている。
本体ケーシング２に対してドラムユニット１３を着脱させるときに、第１ハンドル３６および第２ハンドル３７が把持される。
（２）サブユニット
図１に示すように、各サブユニット１５は、水平面（前後左右方向を含む面）に対して斜め前側上方に傾斜する方向へ延びる中空体であり、その内部において、上述した感光ドラム３、帯電器４、現像ローラ５およびクリーニングブラシ６と、トナー収容室４０、アジテータ４１、供給ローラ４２および層厚規制ブレード４３とを有している。
【００３７】
トナー収容室４０は、サブユニット１５の略上半分をなし、トナー収容室４０には、各サブユニット１５に対応する色のトナーが収容されている。供給ローラ４２は、トナー収容室４０の下方に配置され、現像ローラ５に上から接触している。
現像ローラ５は、感光ドラム３に対して前側から接触している。現像ローラ５には、対応する電極群３１における現像ローラ電極３５（図３参照）が接続されている。画像形成時には、本体ケーシング２内に設けられた後述する現像ローラ接点６０（図３参照）から、現像ローラ電極３５を介して、現像ローラ５に現像バイアスが印加される。
【００３８】
トナー収容室４０のトナーは、アジテータ４１に攪拌されつつ、自重によって供給ローラ４２へ供給された後、薄層となって、上述したように現像ローラ５に担持され、対応する感光ドラム３の静電潜像の可視像化に寄与する。現像ローラ５に担持されるトナーの層厚は、層厚規制ブレード４３によって所定の厚さに規制される。
帯電器４は、感光ドラム３の斜め上側後方において、感光ドラム３と間隔を隔てて対向配置されている。帯電器４は、感光ドラム３と間隔を隔てて対向配置される放電ワイヤ４４と、放電ワイヤ４４と感光ドラム３との間に設けられるグリッド４５とを備えている。
【００３９】
放電ワイヤ４４には、対応する電極群３１におけるワイヤ電極３２（図３参照）が接続されており、グリッド４５には、グリッド電極３３（図３参照）が接続されている。
帯電器４では、画像形成時において、本体ケーシング２内に設けられた後述するワイヤ接点６１（図３参照）から、ワイヤ電極３２を介して放電ワイヤ４４に放電電圧が印加され、これにより、放電ワイヤ４４がコロナ放電する。また、これと同時に、本体ケーシング２内に設けられた後述するグリッド接点６２（図３参照）から、グリッド電極３３を介してグリッド４５にグリッド電圧が印加され、感光ドラム３に供給される電荷量が制御されるので、感光ドラム３の表面が、上述したように、一様に帯電される。
【００４０】
クリーニングブラシ６は、感光ドラム３の後方において、感光ドラム３と対向して接触している。クリーニングブラシ６には、対応する電極群３１におけるクリーニング電極３４（図３参照）が接続されている。画像形成時には、本体ケーシング２内に設けられた後述するクリーニング接点６３（図３参照）から、クリーニング電極３４を介して、クリーニングバイアスがクリーニングブラシ６に印加される。このクリーニングバイアスによって、感光ドラム３上に存在する上述した異物がクリーニングブラシ６に捕獲される。
【００４１】
このようなサブユニット１５は、第１プロセス部材の一例としての第１サブユニット４６と、第２プロセス部材の一例としての第２サブユニット４７とに分離することができる。第１サブユニット４６は、サブユニット１５の上側部分をなし、現像ローラ５、トナー収容室４０、アジテータ４１、供給ローラ４２および層厚規制ブレード４３を有している。第２サブユニット４７は、サブユニット１５の下側部分をなし、感光ドラム３、帯電器４およびクリーニングブラシ６を有している。上述したように、サブユニット１５内の個々の構成部品の作用によって、対応する感光ドラム３に形成された静電潜像が可視像化されるので、サブユニット１５を第１サブユニット４６および第２サブユニット４７に分離しても、第１サブユニット４６および第２サブユニット４７のそれぞれが、感光ドラム３の静電潜像の可視像化に寄与していることがわかる。
【００４２】
そして、この場合、第１サブユニット４６では、現像ローラ電極３５が現像ローラ接点６０（図３参照）に接続されることによって、現像ローラ接点６０からの電力（現像バイアス）が、現像ローラ電極３５を介して現像ローラ５に供給される。
第２サブユニット４６では、ワイヤ電極３２がワイヤ接点６１（図３参照）に接続されることによって、ワイヤ接点６１からの電力が、ワイヤ電極３２を介して放電ワイヤ４４に供給される。また、グリッド電極３３がグリッド接点６２（図３参照）に接続されることによって、グリッド接点６２からの電力（グリッド電圧）が、グリッド電極３３を介してグリッド４５に供給される。そして、クリーニング電極３４がクリーニング接点６３（図３参照）に接続されることによって、クリーニング接点６３からの電力（クリーニングバイアス）が、クリーニング電極３４を介してクリーニングブラシ６に供給される。
【００４３】
なお、第２サブユニット４７をユニットケーシング１４に固定する一方で、第１サブユニット４６は、ユニットケーシング１４に対して着脱可能としてもよい。
＜本体ケーシング＞
図７Ａは、ドラムユニットが収容位置と引出位置との間にある状態におけるプリンタの右側面図である。図７Ｂは、図７ＡのＡ−Ａ線におけるプリンタの要部階段断面図である。図８は、図７Ａの状態におけるプリンタの要部を上側から見た斜視図である。図９は、図７Ａの状態におけるプリンタの要部右側面図である。図１０は、図７Ａの状態におけるプリンタの正面図である。
【００４４】
図１に示すように、本体ケーシング２の前壁４９には、フロントカバー５１が設けられている。フロントカバー５１では、下端部が前壁４９においてヒンジなどによって支持されている。そのため、フロントカバー５１は、上端部が本体ケーシング２の上壁と当接する閉鎖位置（図１参照）と、上端部が本体ケーシング２の上壁から離間する開放位置（図示せず）との間で、下端部を中心として揺動可能である。なお、図２以降では、フロントカバー５１の図示が省略されている。
【００４５】
フロントカバー５１を開放位置に揺動させると、図５に示すように、前壁４９に形成された正面視略矩形状の着脱口５２が解放され、着脱口５２から、上述した収容室５０が前側に露出される。ここで、前壁４９には、着脱口５２の左右の縁をなす部分のそれぞれにおいて、上下方向で同じ位置に、後側へ窪む凹部５８が形成されている。
本体ケーシング２は、収容室５０を幅方向から挟むように幅方向において間隔を隔てて対向配置される１対の側壁５３を備えており、図７Ｂでは、１対の側壁５３における右側の側壁５３（右側壁５４）が示されている。右側壁５４では、内側面の一例である左側面５５が、収容室５０の右側を区画している。上述した前壁４９は、１対の側壁５３の前端部の間に架設されている（図５参照）。
【００４６】
図３に示すように、本体ケーシング２において、収容室５０の後端部（ドラムユニット１３の装着方向下流側端部）には、幅方向に延びる基準軸５６が設けられている。基準軸５６は、１対の側壁５３の間に架設されている。
１対の側壁５３では、上述した凹部５８（図５参照）より上方において、幅方向で対向するそれぞれの位置に、ガイドレール５７が設けられている。ガイドレール５７は、対応する側壁５３の幅方向内側面において、前後方向に沿って延びるように形成されている。ガイドレール５７では、着脱されるドラムユニット１３において対応する鍔部２０がスライド自在に受け入れられるとともに、ドラムユニット１３のころ５９（図８参照）が転動される。また、ガイドレール５７の前端部の上側には、ころ７１が回転自在に設けられている。
【００４７】
ここで、図５に示すように、右側壁５４の左側面５５において、ガイドレール５７より下方の領域は、上から順に、第１内側面の一例としての上左側面６９と、第２内側面の一例としての下左側面７０とに区別される。上左側面６９および下左側面７０は、前後方向に長手かつ、前後方向および上下方向に沿っており、前後方向および上下方向のどちらから見ても平坦である（つまり幅方向において凹凸していない）。上下方向寸法について、上左側面６９は、下左側面７０より小さい。そして、左側面５５においてガイドレール５７が配置された部分より左側に上左側面６９が配置され、上左側面６９より左側に下左側面７０が配置されている。換言すれば、幅方向において、下左側面７０は、上左側面６９よりも内側（左側）へ突出し、上左側面６９は、左側面５５においてガイドレール５７が配置された部分よりも内側へ突出している。そのため、左側面５５は、下側へ向って左側へ階段状に突出している。
【００４８】
そして、右側壁５４には、図３に示すように、ドラムユニット１３の各電極群３１に対応して、現像ローラ接点６０、ワイヤ接点６１、グリッド接点６２およびクリーニング接点６３が、それぞれ４つずつ設けられている（内蔵されている）。ここで、ワイヤ接点６１およびクリーニング接点６３は、第３電極の一例として機能し、グリッド接点６２および現像ローラ接点６０は、第４電極の一例として機能する。また、現像ローラ接点６０、ワイヤ接点６１およびクリーニング接点６３は、画像形成装置本体の電極の一例としても機能する。
【００４９】
現像ローラ接点６０、ワイヤ接点６１、グリッド接点６２およびクリーニング接点６３は、ドラムユニット１３の本体ケーシング２に対する装着状態において、各電極群３１毎に、現像ローラ電極３５、ワイヤ電極３２、グリッド電極３３およびクリーニング電極３４のうちで対応する電極と幅方向において対向するように設けられている。
詳しくは、ワイヤ接点６１およびクリーニング接点６３は、上左側面６９（図５参照）に設けられ、前後方向に沿った同一直線上で、交互に配置されている。一方、グリッド接点６２および現像ローラ接点６０は、下左側面７０（図５参照）に設けられ、前後方向に沿った同一直線上で、交互に配置されている。つまり、ワイヤ接点６１およびクリーニング接点６３と、グリッド接点６２および現像ローラ接点６０とは、上下方向に間隔を隔てて並行に配置されている。
【００５０】
現像ローラ接点６０、ワイヤ接点６１、グリッド接点６２およびクリーニング接点６３のそれぞれは、図７Ｂの現像ローラ接点６０およびワイヤ接点６１で示すように、幅方向外側（右側）に設けられる大径の頭部６４と、その頭部６４から幅方向内側（左側）に向かって延びる小径の軸部６５とを一体的に備えている。
また、右側壁５４の左側面５５には、現像ローラ接点６０、ワイヤ接点６１、グリッド接点６２およびクリーニング接点６３において対応する接点の軸部６５を左側面５５から左側（収容室５０側）へ突出させる接点孔６６が、接点の数に応じて複数形成されている。ここで、ワイヤ接点６１およびクリーニング接点６３に対応する接点孔６６は、上左側面６９に形成され、グリッド接点６２および現像ローラ接点６０に対応する接点孔６６は、下左側面７０に形成されている。
【００５１】
そして、右側壁５４には、現像ローラ接点６０、ワイヤ接点６１、グリッド接点６２およびクリーニング接点６３において対応する接点の頭部６４に係合し、この頭部６４を左側に付勢するばね６７が内蔵されている。これにより、現像ローラ接点６０、ワイヤ接点６１、グリッド接点６２およびクリーニング接点６３のそれぞれは、常には、ばね６７によって左側へ向けて付勢されている。これに伴って、各接点では、軸部６５が、接点孔６６を介して、右側壁５４から収容室５０内へ突出されているものの、頭部６４は、接点孔６６より左側へ移動できないので、各接点が外れることなく右側壁５４に支持された状態が維持されている。
＜本体ケーシングに対するドラムユニットの装着＞
図１１Ａは、ドラムユニットが収容位置にある状態におけるプリンタの右側面図である。図１１Ｂは、図１１ＡのＢ−Ｂ線におけるプリンタの要部階段断面図である。図１２は、図１１Ａの状態におけるプリンタの要部を上側から見た斜視図である。図１３は、図１１Ａの状態におけるプリンタの要部右側面図である。図１４は、図１１Ａの状態におけるプリンタの正面図である。
【００５２】
フロントカバー５１（図１参照）を開放位置まで揺動させると、本体ケーシング２の着脱口５２から収容室５０が露出される（図５参照）。その後、図２に示すように、引出位置（図３ないし図６も参照）にあるドラムユニット１３の第１ハンドル３６を把持してドラムユニット１３を後方へ押し込むことにより、ドラムユニット１３を、前側から後側に向かって前後方向に沿って収容室５０へ挿入する。
【００５３】
ドラムユニット１３を収容室５０へ挿入するには、図３に示すように、ドラムユニット１３の後端部のころ５９（図８参照）を、収容室５０において対応するガイドレール５７上で転動させるとともに、鍔部２０を、対応するガイドレール５７のころ７１上で滑動させる。
ドラムユニット１３を収容室５０へ挿入すると、まず、ドラムユニット１３のユニットケーシング１４の右側面（上右側面２２、中右側面２３および下右側面２４）の後端部が、収容室５０の右側を区画する右側壁５４の左側面５５に対して、幅方向において対向し始める（図５参照）。
【００５４】
そしてドラムユニット１３を引き続き挿入すると、図４および図５に示すように、最も前側の現像ローラ接点６０が、下右側面２４と幅方向において対向し、下右側面２４の第１リブ２８の傾斜面３０に乗り上げ、ばね６７（図７Ｂ参照）の付勢力に抗して右側に移動する。次いで、最の前側のワイヤ接点６１が、中右側面２３に対して、右側から間隔を隔てて対向し、詳しくは、前後方向から見て、中右側面２３のグリッド電極３３および現像ローラ電極３５と幅方向において間隔を隔てて対向する（図５参照）。つまり、このとき、最の前側のワイヤ接点６１は、ドラムユニット１３に接触していないので、このワイヤ接点６１の幅方向位置は、ドラムユニット１３が収容室５０へ挿入される前と同じ位置に保たれている。
【００５５】
そして、さらにドラムユニット１３を挿入すると、最の前側の現像ローラ接点６０が、ドラムユニット１３に対して前側へ相対移動し、その際、第１リブ２８の右側面に対して摺動する。ここで、第１リブ２８の右側面において傾斜面３０を除いた部分は、上述したように平坦に形成されているので、第１リブ２８の右側面に対して摺動する現像ローラ接点６０の幅方向位置は、一定に維持されている。次いで、この現像ローラ接点６０の後側に位置するグリッド接点６２が、この現像ローラ接点６０と同様に、下右側面２４と幅方向において対向してから第１リブ２８の傾斜面３０に乗り上げた後、その幅方向位置が一定に維持されながら、第１リブ２８の右側面に対して摺動する。
【００５６】
また、このとき、最も前側のワイヤ接点６１は、引き続き中右側面２３に対して右側から間隔を隔てて対向しつつ、ドラムユニット１３に対して前側へ相対移動する。次いで、このワイヤ接点６１の後側に位置するクリーニング接点６３が、このワイヤ接点６１と同様に、中右側面２３に対して、右側から間隔を隔てて対向し、詳しくは、前後方向から見て、中右側面２３のグリッド電極３３および現像ローラ電極３５と幅方向において間隔を隔てて対向する（図５参照）。そのため、このクリーニング接点６３の幅方向位置は、ドラムユニット１３が収容室５０へ挿入される前と同じ位置に保たれている。そして、このクリーニング接点６３は、引き続き中右側面２３に対して右側から間隔を隔てて対向しつつ、ドラムユニット１３に対して前側へ相対移動する。
【００５７】
ドラムユニット１３の挿入が進むと、上記と同様に、他の現像ローラ接点６０およびグリッド接点６２が、順次、下右側面２４と幅方向において対向してから第１リブ２８の傾斜面３０に乗り上げた後、その幅方向位置が一定に維持されながら、第１リブ２８の右側面に対して摺動する。そして、上記と同様に、他のワイヤ接点６１およびクリーニング接点６３が、順次、中右側面２３に対して、右側から間隔を隔てて対向した後、この状態を維持しつつ、ドラムユニット１３に対して前側へ相対移動する。
【００５８】
そして、ドラムユニット１３の挿入がさらに進むと、図８および図９に示すように、現像ローラ接点６０およびグリッド接点６２のそれぞれが、第１リブ２８から対応する第２リブ２９へ分岐する位置に差しかかる。このとき、ドラムユニット１３では、ころ５９がガイドレール５７から後方にはみ出し、鍔部２０がガイドレール５７のころ７１に対して後側へ外れる。
【００５９】
これに伴い、図１２および図１３に示すように、ドラムユニット１３が、自重によって斜め後側下方へ移動し、ドラムユニット１３では、鍔部２０が、対応するガイドレール５７上に載置される。これと同時に、ドラムユニット１３の切欠き３９が、収容室５０の基準軸５６に対して、これを挟持するように前から当接するとともに、ドラムユニット１３の支持軸３８の両端部が、本体ケーシング２の前壁４９において対応する凹部５８に嵌まり込む（図１４参照）。これにより、ドラムユニット１３は収容位置に配置され、本体ケーシング２に対するドラムユニット１３の装着が完了する。本体ケーシング２に対するドラムユニット１３の装着が完了した後は、フロントカバー５１を閉鎖位置まで揺動させて、本体ケーシング２の着脱口５２を閉鎖する（図１参照）。
【００６０】
ドラムユニット１３が収容位置に配置されるとき、現像ローラ接点６０、ワイヤ接点６１、グリッド接点６２およびクリーニング接点６３のそれぞれは、斜め後側下方へ移動するドラムユニット１３に対して斜め前側上方ヘ相対移動することとなる。
そのため、ドラムユニット１３が収容位置に配置されるとき、現像ローラ接点６０およびグリッド接点６２のそれぞれは、対応する第２リブ２９の右側面に対して摺動してから、その第２リブ２９の右側面に連続する第２連結面２６に受け渡される。ここで、現像ローラ接点６０およびグリッド接点６２のそれぞれは、第２連結面２６（詳しくは斜め右側上方ヘ延びている部分）によって、ばね６７（図１１Ｂ参照）の付勢力に抗して右側へ案内された後に、中右側面２３に到達し、対応する現像ローラ電極３５およびグリッド電極３３に対して、幅方向に沿って右側から当接し、接続される（図１１Ｂおよび図１４も参照）。
【００６１】
また、ドラムユニット１３が収容位置に配置されるとき、ワイヤ接点６１およびクリーニング接点６３のそれぞれは、中右側面２３（グリッド電極３３および現像ローラ電極３５）に対して右側から間隔を隔てて対向した状態（図７Ｂおよび図１０参照）から変位し、第１連結面２５に受け入れられる。ここで、ワイヤ接点６１およびクリーニング接点６３のそれぞれは、第１連結面２５（詳しくは斜め右側上方ヘ延びている部分）によって、ばね６７（図１１Ｂ参照）の付勢力に抗して右側へ案内された後に、上右側面２２に到達し、対応するワイヤ電極３２およびクリーニング電極３４に対して、幅方向に沿って右側から当接し、接続される（図１１Ｂおよび図１４も参照）。
【００６２】
このように、ドラムユニット１３が収容位置に配置されると、現像ローラ接点６０、ワイヤ接点６１、グリッド接点６２およびクリーニング接点６３のそれぞれは、対応する電極群３１における現像ローラ電極３５、グリッド電極３３、ワイヤ電極３２およびクリーニング電極３４のうちで対応する電極に対して、右側から当接し、接続される。
なお、収容位置にあるドラムユニット１３を本体ケーシング２から離脱させるときには、フロントカバー５１（図１参照）を開放位置まで揺動させて、本体ケーシング２の着脱口５２からドラムユニット１３を露出させ（図１４参照）、第１ハンドル３６を把持して、ドラムユニット１３を前方に引き出す。
【００６３】
これにより、まず、収容位置にあったドラムユニット１３が、上記装着の手順とは逆の手順によって、図８および図９に示すように、斜め前側上方へ引き上げられる。これに伴い、現像ローラ電極３５、ワイヤ電極３２、グリッド電極３３およびクリーニング電極３４のそれぞれが、対応する現像ローラ接点６０、ワイヤ接点６１、グリッド接点６２およびクリーニング接点６３に対して斜め前側上方にずれるので、各電極と、対応する接点との接続が解消される。このとき、ワイヤ接点６１およびクリーニング接点６３のそれぞれは、中右側面２３に対して右側から間隔を隔てて対向し、現像ローラ接点６０およびグリッド接点６２のそれぞれは、対応する第２リブ２９を経て第１リブ２８の右側面に接触している（図７Ｂおよび図１０参照）。
【００６４】
次いで、ドラムユニット１３を前後方向に沿って前方へ引き出す。これより、ワイヤ接点６１およびクリーニング接点６３のそれぞれは、中右側面２３に対して右側から間隔を隔てて対向した状態を保ちつつ（図７Ｂおよび図１０参照）、ドラムユニット１３に対して後側へ相対移動する。一方、現像ローラ接点６０およびグリッド接点６２のそれぞれも、ドラムユニット１３に対して後側へ相対移動し、その際、その幅方向位置が一定に維持されながら、第１リブ２８の右側面に対して摺動する（図７Ｂおよび図１０参照）。
【００６５】
その後、全ての現像ローラ接点６０およびグリッド接点６２が第１リブ２８から離脱するまでドラムユニット１３が引出されると、ドラムユニット１３は、引出位置に配置される（図２ないし図６参照）。これにより、ドラムユニット１３を本体ケーシング２から離脱させることができる。
＜作用効果＞
（１）以上のように、このプリンタ１の本体ケーシング２の収容室５０に対して収容位置と引出位置との間でスライド移動可能なドラムユニット１３において、ユニットケーシング１４の右側面では、中右側面２３にグリッド電極３３および現像ローラ電極３５が設けられ、上右側面２２にワイヤ電極３２およびクリーニング電極３４が設けられている。
【００６６】
ここで、中右側面２３および上右側面２２は、本体ケーシング２において収容室５０を区画する右側壁５４の左側面５５に対して、ドラムユニット１３のスライド方向（前後方向）と直交する直交方向（幅方向）において対向しつつ、前後方向に沿って互いに平行に延びているものの、上右側面２２が、中右側面２３よりも左側面５５側（右側）に突出している（図７Ｂ参照）。
【００６７】
一方、この左側面５５には、ともに前後方向に沿って延びる上左側面６９、および、上左側面６９よりもドラムユニット１３側（左側）に突出する下左側面７０が形成されている（図７Ｂ参照）。上左側面６９には、ワイヤ接点６１およびクリーニング接点６３が設けられ、下左側面７０には、グリッド接点６２および現像ローラ接点６０が設けられている。
【００６８】
このようなプリンタ１では、ドラムユニット１３が収容位置にあるときには、図１１Ａないし図１４に示すように、ワイヤ接点６１、クリーニング接点６３、グリッド接点６２および現像ローラ接点６０が、ワイヤ電極３２およびクリーニング電極３４、グリッド電極３３および現像ローラ電極３５において対応する電極に当接して給電できる。
一方で、ドラムユニット１３が収容位置と引出位置との間にあるときには、図７Ｂおよび図１０に示すように、ワイヤ接点６１およびクリーニング接点６３が、前後方向から見て、グリッド電極３３および現像ローラ電極３５と幅方向において間隔を隔てて対向し、グリッド接点６２および現像ローラ接点６０が、ドラムユニット１３の下右側面２４と幅方向において対向する。これにより、ドラムユニット１３が収容位置と引出位置との間にあるときにおいて、ワイヤ電極３２、クリーニング電極３４、グリッド電極３３および現像ローラ電極３５と、ワイヤ接点６１、クリーニング接点６３、グリッド接点６２および現像ローラ接点６０との不必要な接触を防止することができる。
【００６９】
そして、ドラムユニット１３において、このように上右側面２２が中右側面２３よりも右側に突出しているので、中右側面２３に設けられたグリッド電極３３および現像ローラ電極３５と、上右側面２２に設けられたワイヤ電極３２およびクリーニング電極３４とを、幅方向において離して配置することができる。これにより、図４および図６に示すように、ワイヤ電極３２およびクリーニング電極３４の列Ｘとグリッド電極３３および現像ローラ電極３５の列Ｙとの間で絶縁させつつ（絶縁距離を確保しつつ）、これらの列を、幅方向から見て互いの間隔（上下方向間隔）が狭まるように配置することができる。つまり、このドラムユニット１３では、平行に延びる列をなすように複数の電極が配置される場合において、設計の自由度の向上を図ることができる。
（２）ドラムユニット１３が収容位置と引出位置との間で移動するときに、幅方向において平坦に形成された下右側面２４（厳密には下右側面２４に設けられた第１リブ２８の右側面）によって、下右側面２４に摺動自在に接触するグリッド接点６２および現像ローラ接点６０の幅方向位置が一定に維持される（図７Ｂおよび図１０参照）。そのため、ドラムユニット１３が収容位置と引出位置との間で移動するときに、グリッド接点６２および現像ローラ接点６０が幅方向へ不意に移動してドラムユニット１３と干渉することによってドラムユニット１３の移動が阻害されることを防止できる。
＜変形例＞
上記した実施形態におけるドラムユニット１３では、図１に示すように、各サブユニット１５を、第１サブユニット４６と第２サブユニット４７とに分離可能にしたが、第１サブユニット４６と第２サブユニット４７とを一体的に構成してもよい。この場合、サブユニット１５の交換により、第１サブユニット４６のトナー収容室４０におけるトナーおよび現像ローラ５と、第２サブユニット４７の感光ドラム３といった消耗部品を一度に交換することができる。
【００７０】
また、上記した実施形態においては、各感光ドラム３から用紙Ｐにトナー像を直接転写するいわゆるダイレクト転写タイプのカラーレーザプリンタ１を例示したが、本発明は、これに限定されるものではなく、たとえば、各色のトナー像を、各感光ドラム３から一旦中間転写体に転写し、その後、用紙Ｐに一括転写する中間転写タイプのカラーレーザプリンタとして構成することもできる。
【図面の簡単な説明】
【００７１】
【図１】本発明の画像形成装置の一例としてのプリンタの一実施形態を示す右側断面図である。
【図２】ドラムユニットが引出位置にある状態におけるプリンタの右側面図である。
【図３】図２の状態におけるプリンタの要部を上側から見た斜視図である。
【図４】図２の状態におけるプリンタの要部右側面図である。
【図５】図２の状態におけるプリンタの正面図である。
【図６】図２の状態におけるプリンタの要部を下側から見た斜視図である。
【図７Ａ】ドラムユニットが収容位置と引出位置との間にある状態におけるプリンタの右側面図である。
【図７Ｂ】図７ＡのＡ−Ａ線におけるプリンタの要部階段断面図である。
【図８】図７Ａの状態におけるプリンタの要部を上側から見た斜視図である。
【図９】図７Ａの状態におけるプリンタの要部右側面図である。
【図１０】図７Ａの状態におけるプリンタの正面図である。
【図１１Ａ】ドラムユニットが収容位置にある状態におけるプリンタの右側面図である。
【図１１Ｂ】図１１ＡのＢ−Ｂ線におけるプリンタの要部階段断面図である。
【図１２】図１１Ａの状態におけるプリンタの要部を上側から見た斜視図である。
【図１３】図１１Ａの状態におけるプリンタの要部右側面図である。
【図１４】図１１Ａの状態におけるプリンタの正面図である。
【符号の説明】
【００７２】
１      プリンタ
２      本体ケーシング
３      感光ドラム
１３    ドラムユニット
２２    上右側面
２３    中右側面
２４    下右側面
３２    ワイヤ電極
３３    グリッド電極
３４    クリーニング電極
３５    現像ローラ電極
４６    第１サブユニット
４７    第２サブユニット
５０    収容室
５５    右側面
６０    現像ローラ接点
６１    ワイヤ接点
６２    グリッド接点
６３    クリーニング接点
６９    上左側面
７０    下左側面
【図１】
0004725590.tif 000002
【図２】
0004725590.tif 000003
【図３】
0004725590.tif 000004
【図４】
0004725590.tif 000005
【図５】
0004725590.tif 000006
【図６】
0004725590.tif 000007
【図７Ａ】
0004725590.tif 000008
【図７Ｂ】
0004725590.tif 000009
【図８】
0004725590.tif 000010
【図９】
0004725590.tif 000011
【図１０】
0004725590.tif 000012
【図１１Ａ】
0004725590.tif 000013
【図１１Ｂ】
0004725590.tif 000014
【図１２】
0004725590.tif 000015
【図１３】
0004725590.tif 000016
【図１４】
0004725590.tif 000017